(57)【特許請求の範囲】
【請求項１】
シンク部と、該シンク部の一方の側に設けた開口部に取付けた食器洗浄機とを有する流し台において、
前記開口部の下方に設置された洗浄槽と、後部側に取付部を残して前後方向の長さが前記開口部の前後方向の長さより短かい開口部を有し、前記洗浄槽を流し台に固定する取付枠と、該取付枠上に載置されて前記洗浄槽の開口部を開閉する蓋体と、前記取付枠の取付部に取付けられた前記食器洗浄機を操作する操作部とを備えたことを特徴とする食器洗浄機付き流し台。
【請求項２】
前記取付枠に設けた操作部内に排気路を設け、該排気路の吸気側を前記洗浄槽に開口すると共に、排気側を前記流し台の水はね防止用の立上り壁に対向して開口したことを特徴とする請求項１記載の食器洗浄機付き流し台。
【請求項３】
前記取付枠に形成された取付部に固定した蓋体支持部材を覆って操作部を構成する保持ケースを取付け、前記蓋体支持部材に前記蓋体の一端を装着するヒンジ部を設けたことを特徴とする請求項１又は２記載の食器洗浄機付き流し台。
【請求項４】
前記流し台の上面側において洗浄槽の外部に発光部を設けると共に、前記流し台のキャビネット内に受光部を設け、該受光部を制御部に接続したことを特徴とする請求項１〜３のいずれかに記載の食器洗浄機付き流し台。
【請求項５】
前記発光部からの光を洗浄槽を透過して受光部で受光させるようにしたことを特徴とする請求項４記載の食器洗浄機付き流し台。
【発明の詳細な説明】
【０００１】
【発明の属する技術分野】
本発明は、食器洗浄機付き流し台に関するものである。
【０００２】
【従来の技術】
従来、食器洗浄機と流し台とは別個に製作され販売されているため、流し台における作業と食器洗浄機による作業とは、相互に関連する作業であるにもかかわらず両者は別々の位置に配置されているため、作業上無駄な労力を使い作業手順が悪くなるなどの不都合があった。
【０００３】
このような問題を解決するため、例えば、実開昭６１−５２９３９号公報には、食器洗浄機兼流し台の考案が記載されている。
この考案は、流し台の流し槽の底面の少なくとも一部に開口部を設けてこの開口部に上方に開閉自在の蓋体を設け、開口部の下部に上部の開口部から食器などを出し入れする食器洗浄機を配置したもので、蓋体は流し槽の底面の少なくとも一部と、食器洗浄機の蓋とを兼ねている（従来技術１）。
【０００４】
また実開平５−７４４６０号公報には、食器洗浄機本体及びその上面に配設される開閉蓋とからなる食器洗浄機であって、食器洗浄機本体は上面に開口部が設けられてなるとともに、この開口部の両側部には開閉方向に沿ってガイドレールが複数段並設されてなり、開閉蓋は下方開放状の筐体からなる複数枚の単位蓋により構成され、且つこの単位蓋は開口部の一端に配置される固定蓋と、この固定蓋に連設される複数の移動蓋とからなり、これら固定蓋、移動蓋の連設側端部には縦断面コ字状の折曲部が形成され、且つ移動蓋の一端には折曲部内に係入される縦断面逆Ｌ状の係止材が連結部を介してそれぞれ設けられ、これら移動蓋が各々ガイドレールの各々の段と対応する位置に配されて係止材と折曲部との係入を介して階段状に連設してなるとともに、各々の段のガイドレール内に収納される回転ローラーが移動蓋の両側部にそれぞれ着接された食器洗浄機が記載されている（従来技術２）。
【０００５】
また、特開平６−１２５８６３号公報には、扉が本体の前面に設けられ、さらに、操作部が扉の前面上部に設けられたシステムキッチン等に組込まれる食器洗浄機が記載されている（従来技術３）。
【０００６】
【発明が解決しようとする課題】
従来技術１においては、扉が上方に開放されるため流し台の前面は自由になるが、その取付位置（シンク部の右側又は左側）によっては扉がシンク部側に開放されるため食器類の出し入れに不便であり、使い勝手が悪かった。
また、流し台の上方に壁付け収納棚を設ける場合が多く、この場合、使い勝手を考慮して通常使用者の視線の高さに設置されているため、流し台の上面と壁付け収納棚の下面との間は比較的狭い空間となっている。このため、１枚の大きい蓋では壁付き収納棚が邪魔になって開放することができず、これを解決するためには、食器洗浄機の開口部を小さくし、これに合わせて蓋を小さくするか、あるいは、食器洗浄機の上方には壁付け収納棚を設置しないようにしなければならなかった。
さらに、蓋が流し台の下方に沈んだ状態で設置されているので、例えば、蓋の上で調理を行う場合、使用者はかがんで作業を行わなければならず、勝手が悪いという問題があった。
【０００７】
また、従来技術２の場合は、この食器洗浄機を流し台に組み込んだ場合、蓋体全体の厚みが厚くなるためスペースが必要であり、また、洗浄槽からの洗浄水の外部への漏洩防止構造が複雑になって組立性が悪く、コスト高になる。さらに、蓋体に段差があるため、調理台としての使用が難しく、水切りプレートも載置できないので使い勝手が悪いという問題があった。
【０００８】
さらに、従来技術３においては、扉が本体の前面に設けられているので、扉の開閉や食器類の出し入れに際して、使用者は中腰で作業しなければならず、また、その分前面の面積を広くとらなければならないため、使い勝手を損うばかりでなく、設置場所にも制約があった。さらに、操作部が前面側に設けられているので、水や汚物が浸入したり付着したりするおそれがあり、故障の原因となっていた。
【０００９】
さらに、いずれの場合においても、食器洗浄後の乾燥工程において、洗浄槽内の温風を前面から排出しているため、この温風が使用者にあたって不快感を与えていた。
また、温風に含まれる湿気が冷却されて結露し、これが食器洗浄機の前面に落下して床面を濡したり汚したりする不都合が生じた。
【００１０】
本発明は、上記の課題を解決するためになされたもので、操作性にすぐれた使い勝手のよい食器洗浄機付き流し台を得ることを目的としたものである。
【００１１】
【課題を解決するための手段】
本発明に係る食器洗浄機付き流し台は、シンク部と、該シンク部の一方の側に設けた開口部に取付けた食器洗浄機とを有する流し台において、前記開口部の下方に設置された洗浄槽と、後部側に取付部を残して前後方向の長さが前記開口部の前後方向の長さより短かい開口部を有し、前記洗浄槽を流し台に固定する取付枠と、該取付枠上に載置されて前記洗浄槽の開口部を開閉する蓋体と、前記取付枠の取付部に取付けられた前記食器洗浄機を操作する操作部とを備えたものである。
【００１２】
上記の食器洗浄機付き流し台において、取付枠に設けた操作部内に排気路を設け、該排気路の吸気側を前記洗浄槽に開口すると共に、排気側を前記流し台の水はね防止用の立下り壁に対向して開口した。
【００１３】
上記の食器洗浄機付き流し台において、前記取付枠に形成された取付部に固定した蓋体支持部材を覆って操作部を構成する保持ケースを取付け、前記蓋体支持部材に前記蓋体の一端を装着するヒンジ部を設けた。
【００１６】
上記のいずれかの食器洗浄機付き流し台において、流し台の上面側において洗浄槽の外部に発光部を設けると共に、流し台のキャビネット内に受光部を設け、該受光部を制御部に接続した。
また、上記の食器洗浄機付き流し台において、発光部からの光を洗浄槽を透過して受光部で受光させるようにした。
【００１７】
【発明の実施の形態】
実施の形態１
先ず、本発明の実施の形態の全体構成の概要につき、主として図１〜図９により説明する。図において、１は流し台、２は流し台１のカウンタで、シンク部３及びシンク部３の一方の側に開口する食器洗浄機用の開口部４が設けられており、開口部４の内周縁には複数のねじ挿通穴を有するフランジ５が設けられている（図４）。６はシンク部３上に開口する水道蛇口、７はシンク部３の底部に設けた排水口で、この排水口６には排水管８（図６）が接続され、屋外に取出されている。
【００１８】
９はカウンタ２を支持すると共に、収納部等を有するギャビネットで、その前面開口部には開閉自在の扉１０が設けられている。１２０は流し台１の背面の壁、１２１は流し台１の上部において壁１２０に設置された壁付け収納棚である。なお、以下の説明では、壁１２０側（流し台１の後部側）を壁側といい、その反対側を前面側という。上記の壁付け収納棚１２１は、使い勝手を考慮して通常使用者の視線の高さに設置されており、このため、流し台１のカウンタ２の上面と壁付け収納棚１２１の下面とは比較的接近し、狭い空間部になっている。
【００１９】
２０はキャビネット９内において、開口部４の下方に支持台１１を介して設置された食器洗浄機、２１はその洗浄槽で、下部には貯水槽２１ａが設けられ、上端部外周には凹溝２２ａ及び複数のねじ穴２２ｂを有するほぼ逆Ｌ字状の取付けフランジ２２が形成されており、この取付けフランジ２２がシール部材３６（図１８、図２５参照）を介して開口部４のフランジ５の下面に当接され、後述の取付枠にねじ止めされて流し台１に取付けられている。
【００２０】
２３は洗浄槽２１の底部に設けた高さ調節可能の支持脚、２４は給水源に接続された給水パイプ、２４ａは給水栓、２５は排水パイプ、２６は電源プラグ、２７はアース線である。また、２８は洗浄槽２１内に設けられた洗浄水の給水管、２９は給水管２８に圧送された洗浄水を噴射する噴射ノズル、３０は貯水部２１ａに設けたヒータ、３１は同じく温度センサである。なお、図示してないが、食器洗浄機は食器等を収納する食器かごと、ガス器具や換気扇などの機器を洗浄するための機器洗浄かごを備えている。
【００２１】
４０は開口部４のフランジ５上に設置され、フランジ５を介して洗浄槽２１を固定する取付枠で、図１３に示すように、周囲にパッキン４４が装着された開口部４２及びその壁側に設けた取付部４３とからなり、この取付部４３には温風取入口４７、排水口４８、ねじ挿通穴４９などが設けられ、これらを覆って操作パネル、蓋体支持部材等を有し操作部５０を構成する保持ケース５１が取付けられている。
【００２２】
７０は洗浄槽２１の開口部を開閉する蓋体で、図２１に示すように、第１の蓋板７１、第２の蓋板７２及び両蓋板７１，７２を連結すると共に、ほぼＶ字状に屈曲させるための第１のヒンジ部９０等からなり、第２の蓋板７２は取付枠４０の後述する蓋体支持部材に設けた第２のヒンジ部９５を介して開閉自在に装着されている。
７８は第１の蓋板７１の上面前部側に開閉自在に設けたハンドルで、蓋体７０を開閉すると共に、第１、第２の蓋板７１，７２を屈曲させるためのものである。７９はハンドル７８に近接して設けられ、蓋体７０をロックするロックレバーである。
【００２３】
なお、流し台１のカウンタ２は、一般に、図１及び図９に示すように、最上部の第１の面２ａと、シンク部３の周囲に設けられた第１の面２ａより低い第２の面２ｂとからなっているが、本発明においては、開口部４のフランジ５を第２の面２ｂよりさらに低い位置、すなわち、取付枠４０と蓋体７０の合計高さとほぼ等しい高さだけ低い位置に第３の面２ｃを設けてこれをフランジ５とした。そして、この第３の面２ｃに取付枠４０と蓋体７０を取付けることにより、蓋体７０の上面とカウンタ２の第２の面２ｂとがほぼ同一平面になるように構成した。なお、カウンタ２の壁側には、第１の面２ａに連らなって１段高く形成されたＬ字状の水はね防止用の立上り壁２ｄが設けられている。
【００２４】
１２は調理を行ったり、食材等の水切りを行う水切りプレート（図３）で、カウンタ２の第２の面２ｂ上に設置され、第２の面２ｂ上を滑らせて移動させ、使用するものである。本発明においては、カウンタ２の第２の面２ｂと食器洗浄機２０の蓋体７０の上面とはほぼ同一平面上にあるので、水切りプレート１２を蓋体７０の上まで移動させることができる。
【００２５】
図１０、図１１は水切りプレート１２の他の例を示すもので、平板状でシンク部側に向って下降するように傾斜して蓋体７０のほぼ全面を覆う底板１２ａと、底板１２ａの外周に立設された周壁１２ｂと、この周壁１２ｂのシンク部３側に設けられた排出口１２ｃとによって構成したものである。
このように構成して水切りプレート１２によれば、水切りプレート１２上の水などは、傾斜した底板１２ａ上をシンク部３側に自然に流れ、排出口１２ｃからシンク部３内に流出するので、水切りプレート１２を常に清潔に保つことができる。
【００２６】
上記のように構成した食器洗浄機付き流し台においては、洗浄槽２１の開口部を開閉する蓋体７０を、第１の蓋板７１と第２の蓋板７２によって２分割して第１のヒンジ部９０で連結し、かつ、後述する蓋体支持部材と第２の蓋板７２との間に設けた第２のヒンジ部９５により、第１、第２の蓋板７１，７２をほぼＶ字状に屈曲させながら、第２のヒンジ部９５により蓋体７０を壁側に傾けて立てて開口部を開放するようにしている。
【００２７】
洗浄槽２１の開口部は、食器等の出し入れを考慮して大きい開口部とすることが望ましいが、これに伴って蓋体の面積も大きくなるため、開口部の大きさに制約があった。本発明においては、上述のように蓋体７０を２分割して屈曲させるようにしたので、図８に示すように、比較的近接している流し台１の上面と壁付け収納棚１２１の下面との間に余裕をもって開放することができる。
これにより、従来技術１のように１枚の板からなる蓋体を用いた場合には、食器洗浄機の上方には設置できなかった壁付け収納棚１２１を、流し台１の上方全域に設置できるようになり、使い勝手のよい厨房を得ることができる。
【００２８】
また、洗浄槽２１の開口部は壁側を除く３方が開放されているので、洗浄槽２１内への食器等の出し入れをスムーズに行うことができる。
さらに、ほぼＶ字状に屈曲させながら開放した蓋体７０が壁付け収納棚１２１の下方に収まるので、壁付け収納棚１２１と洗浄槽２１との間の食器等の出し入れもスムーズに行うことができる。
【００２９】
また、水切りプレート１２の移動範囲が広域となるので、シンク部３全体を使用したいときなどは、わざわざ水切りプレート１２を流し台１以外の場所に移動しなくても、蓋体７０の上方に滑らすだけでシンク部３全体を開放することができる。
さらに、蓋体７０の上方で調理を行う場合は、水切りプレート１２を蓋体７０の上に配置してその上で調理を行えば、蓋体７０にかかる荷重及び衝撃を緩和することができる。
以下、上述の食器洗浄機付き流し台の各部の構造について詳細に説明する。
【００３０】
実施の形態２
先ず、洗浄槽２１をキャビネット９に取付ける部材である取付枠４０について、主として図１２〜図２０により説明する。図１２〜図１４において、４１は四角形状の金属板の壁側の一部を残して（以下この部分を取付部４３という）、前後の長さがカウンタ２に設けた開口部４の前後の長さより短い開口部４２を有する取付枠本体である。４４は取付枠本体４１の外周縁及び開口部４２の内周縁に一体に結合した例えばゴム材の如き柔軟材からなるパッキンで、開口部４２の周縁の外周側は段部を介して１段高く形成され、開口部側にはリップ４５が設けられ、外周側には、取付部４３のパッキンと同じ高さで排水路４６が形成されている。
４７は取付部４３に設けた長方形の温風取入口、４８は温風取入口４７の両側に設けた排水口、４９は後述の支持部材を取付けるためのねじ挿通穴である。
【００３１】
５１は操作部５０を構成する保持ケースで、図１５に示すように、前面側に傾斜面５２を有するほぼ箱状に形成されており、上面から傾斜面５２にかけて開口部５２ａが形成され、また、上面から後壁にかけて排気穴５２ｂが設けられている。５１ａは両側壁に設けた後述のヒンジ軸の挿通穴、５１ｂはこの保持ケース５１を固定するねじの挿通穴、５９は後壁に設けた温風排気口である。
【００３２】
５３は保持ケース５１の両側壁の内面に対応する位置において取付枠４０の取付部４３に対向して固定された一対の蓋体支持部材で、保持ケース５１はこの蓋体支持部材５３を覆って蓋体支持部材５３に取付けられている。蓋体支持部材５３は図１６、図１７に示すように、保持ケース５１の内形とほぼ同様の外形を有し、リブで形成された後述のダンパーを支持するダンパー軸受部５４、凹状の係止部５６を有し弾性が付与された係止片５５、及びストッパ５７を備えている。
【００３３】
図１８、図１９において、５８は取付枠４０の取付部４３に設けた温風取入口４７と保持ケース５１の背面に設けた温風排気口５９とを連通する排気管部材、６０は取付部４３に設けた排水口４８に接続された柔軟性を有する排水管で、その先端部は洗浄槽２１の内壁に当接している。
【００３４】
６１は保持ケース５１の傾斜面５２に装着された操作器で、保持ケース５１内に収容された操作部ケース６２内には、スイッチ６４、発光部である赤外線の発光素子６５その他の電気部品等が搭載された基板６３が設けられており、前面にはスイッチ６４を開閉する押しボタン等を有する操作パネル６６が装着されてい。なお、発光素子６５からの光は、洗浄槽２１内を通ってその側壁に設けた赤外線透過材からなる受光部３２の基板３３に搭載された受光素子３４に受光され、電気信号に変換されて制御部（図示せず）へ送信される。
【００３５】
この場合、洗浄槽２１は、赤外線を反射する色調又は材料（例えば、黒色をしたプラスチック材又は金属製の板材）とし、受光部３２に対向する部位は、赤外線を透過する色調又は材料（例えば、白色、赤色又はスモークのかかった透明なプラスチック材）で構成することが必要である。
【００３６】
図２０は受光部３２の他の例を示すもので、本例においては、洗浄槽２１を例えば赤外線を透過する合成樹脂等の白色系材料で構成し、特にその一部を薄肉に形成して、洗浄槽２１の取付けフランジ２２に設けたスタッド２２ａに受光素子３４が搭載された基板３３を取付け、この受光素子３４を上記の薄肉部２１ａに対向して配置したものである。これにより、発光素子６５からの赤外線の減衰を防止することができる。
【００３７】
なお、発光素子６５と受光素子３４とによる信号の光伝送に代えて、基板６３に搭載した電気部品等に接続された複数のリード線を束ねて絶縁材料で被覆し、取付部４３を通したのち洗浄槽２１内を経てその周壁から外部に取出し、洗浄槽２１の外に設けた電気部品に接続するようにしてもよい。
【００３８】
上記のように構成した取付枠４０によれば、その開口部４２の前後方向の長さをカウンタ２に設けた開口部４の前後方向の長さより短く形成したので、洗浄槽２１の開口部上にオーバーラップして取付けることができる。このため、洗浄槽２１の開口部上に温風取入口４７、排水口４８、発光素子６５等を設けることができ、また、後述のロック機構の磁石装着部を係止させることができる。
【００３９】
また、取付枠４０の開口部４２の内周縁にリップ４５を有するパッキン４４を設けたので、蓋体７０により洗浄槽２１の開口部を水密に閉塞することができ、これにより洗浄槽２１内の洗浄水や温風が漏洩することがなく、また、外部から洗浄槽２１内に水等が浸入することもない。
さらに、洗浄槽２１全域を乾燥した温風は、排気管部材５８を経て保持ケース５１の背面側から外部に排出されるので、流し台１の前面側に位置する使用者に不快感を与えることがない。
【００４０】
また、発光素子６５からの光を洗浄槽２１内を通して受光素子３４に受光させるようにしたので、人や障害物等により光が遮断されるおそれがない。
また、操作ケース５１は取付枠４０及び蓋体７０の上方に突出し、しかも、前方に傾斜していてこの傾斜面５２に設けた開口部５２ａに操作パネル６６を配設したので、蓋体７０の開閉にかかわらずいつも使用者が操作パネル６６を視認することができるため、取扱いに支障を来すことがない。
【００４１】
実施の形態３
次に、主として図２１〜図２７により蓋体７０の詳細について説明する。蓋体７０は前述のように、第１の蓋板７１、第２の蓋板７２、両蓋板７１，７２を連結しかつ屈曲させる第１のヒンジ部９０、及び第２の蓋板７２を取付枠４０の取付部４３に設けた蓋体支持部材５３に開閉可能に装着するためのヒンジ用ブラケット９２等からなっている。
【００４２】
第１、第２の蓋板７１，７２は、図２４に示すように、周壁を有する上板７３とこの周壁内に嵌入された下板７４、及び上板７３と下板７４を上板７３に設けたねじ穴付きスタッド７５を介して一体に結合したねじ７６とからなっている。ところで、食器洗浄機２０の稼働中、特に乾燥工程においては、洗浄槽２１の外部（上板７３側）は室温（例えば、２０℃）であるのに対し、内部は高温（例えば、７０℃）になるため、下板７４が熱膨張する。このため、本発明においては、上板７３の周壁の内壁と下板７４との外周との間にすき間ｇ１  を設けてこのすき間ｇ１  に柔軟性を有するパッキンを介装し、また、上板７３のねじ穴付きスタッド７５に嵌合する下板７４の穴の径を大きくしてねじ穴付きスタッド７５との間にすき間ｇ２  を設け、下板７３の熱膨張をこれらすき間ｇ１  ，ｇ２  に吸収させて変形等を防止するように構成した。なお、下板７４を柔軟材で構成すれば、食器等の洗浄、すすぎ時に、噴射ノズル２９から噴出される洗浄水の衝撃を吸収して緩和することができる。
【００４３】
７７は第１の蓋板７１の上面で前面側に設けた凹状のハンドル収容部で、このハンドル収容部７７には、開閉可能のハンドル７８と、蓋体７０をロックする回動可能のロックレバー７９とが配設されている。なお、ハンドル収容部７７は、ハンドル７８を収容したときのハンドル７８及びロックレバー７９の上面が、蓋体７０の表面から突出しない深さに形成されている。このため、水切りプレート１２をスムーズに移動できるばかりでなく、蓋体７０の上で調理を行う際にハンドル７８やロッレバー７９が邪魔になることがなく、まな板などの調理器具や食材などを安定して置くことができる。
【００４４】
８０は第１の蓋板７１の下面で前面側に設けた蓋体７０のロック機構である。このロック機構８０の詳細を示す図２５、図２６において、８１は円板状の第１の連動板、８２は同じく第２の連動板で、第２の連動板８２には磁石８３ａが収容された磁石装着部８３が設けられている。そして、第１、第２の連動板８１，８２は、第１の蓋板７１の上板７３のハンドル収容部７７内に設けたボス７３ａ及び下板７４に設けたボス７４ａに嵌入されたロックレバー７９のボス７９ａに、第２の連動板８２側からねじ８５ａを螺入し、また、第１の連動板８１に設けたボス８４に第２の連動板８２側からねじ８５ｂを螺入することにより一体に結合されている。
【００４５】
又、第１、第２の連動板８１，８２は、第１の蓋板７１の下板７４に設けたボス７４ｂを、第１、第２の連動板８１，８２に設けた円弧状の長穴８６ａ，８６ｂに摺動可能に挿入してねじ止めすることにより、長穴８６ａ，８６ｂの範囲で回動できるようなっている。８６はロックレバー７９のボス７９ａと、上板７３に設けたボス７３ａとの間に介装されたシール材で、洗浄槽２１から放出される洗浄水、温風、蒸気などを遮断すると共に、外部から洗浄槽２１内に浸入する水等を遮断する。
８７はロックアームで、その基部側に設けた丸穴８８は、第１の連動板８１のボス８４に回動可能に装着されており、先端部側に設けた長穴８９は、下板７４に設けたボス７４ｃに摺動可能に嵌合されている。なお、３５はロックアーム８７により蓋体７０をロックしたときの磁石装着部８３の位置に対応して、洗浄槽２１の外側に設けたリードスイッチである。
【００４６】
上記のようなロック機構８０において、ハンドル収容部７７内のロックレバー７９を回動すると、これと一体に結合された第１、第２の連動板８１，８２も回動し、これに伴って両連動板８１，８２に連結されたロックアーム８７が前後に移動する。いま、ロックアーム８７を最も前進した位置に移動させると、図２１に示すように、その先端部が第２の蓋板７２の下面に当接するため、第１、第２の蓋板７１，７２は屈曲することができず、平板化した状態でロックされる。
また、第２の連動板８２に設けた磁石装着部８３が洗浄槽２１の開口部内にオーバーラップして突出した取付枠４０の下面に係止して蓋体７０を開放不能にロックすると共に、磁石装着部８３内の磁石８３ａがリードスイッチ３５に近接してその接点をＯＮし、食器洗浄機２０が運転可能になったことを制御部（図示せず）に送信する。
【００４７】
一方、第１、第２の蓋板７１，７２の折曲げ部（対向部）には、取付枠４０の開口部４２を跨ぐ長さのシール部材７０ａが装着されているので、洗浄槽２１から放出された洗浄水や蒸気などを遮断すると共に、外部から洗浄槽２１内に浸入する水等を遮断することができる。なお、上記の説明ではロックアーム８７を１本設けた場合を示したが、第１の連動板８１と第２の連動板８２の間に２本のロックアームを設けてもよい。
【００４８】
また、ロックレバー７９を回動してロックアーム８７を後方に移動させると、ロックアーム８７の先端部が第２の蓋板７２から外れてロックが解除されると共に、磁石装着部８３による蓋体７０のロックが解除されるので、両蓋板７１，７２を屈曲させて蓋体７０を開放することができる。このとき、磁石８３ａはリードスイッチ３５から離れるため、リードスイッチ３５の接点はＯＦＦになる。
【００４９】
第１、第２の蓋板７１，７２において、９１ａ，９１ｂ（図２３）は下板７４の折曲げ部（対向部）から交互に突設したブラケットで、隣接するブラケット９１ａ，９１ｂがそれぞれピンで連結され、第１のヒンジ部９０を構成している。９２は第２の蓋板７２の壁側の両端部に設けたヒンジ用ブラケットで、後方かつ上方に突出しており、四角形のヒンジ軸取付口９３が設けられている（図１２参照）。
【００５０】
図２７はハンドルの他の例を示すもので、本例においては、蓋体７０の第１の蓋板７１のシンク３と反対側に板７７ａを設け、この板７７ａにほぼ逆Ｕ字状のハンドル７８ａを取付けたものである。
本例においては、ハンドル７８ａがシンク７３の反対側に設けられているので、蓋体７０を閉じた状態で水切りプレート１２を蓋体７０の上まで滑らせて広範囲に移動させることができ、前述のハンドル７８と同様の効果が得られる。また、ハンドル７８ａを水切りプレート１２のストッパとしても利用できる。
なお、ハンドル収容部７７にはロックレバー７９のみを収容し、その下面にロック機構８０を設けてもよい。
【００５１】
上記のような蓋体７０は、洗浄槽２１の開口部を開放するにあたっては、ハンドル７８（又は７８ａ）を持ってそのほぼ中央部から屈曲させるようにしたので、操作がきわめて容易で、かつその高さを低くすることができる。このため、流し台１と壁付け収納棚１２１の間の狭い空間内にも容易に立設させることができる。
【００５２】
また、蓋体７０を構成する上板７３と下板７４との間にすき間ｇ１  ，ｇ２  を設けて下板７４の熱膨張を吸収するようにしたので、洗浄槽２１の内外に大きな温度差が生じても、蓋板７０が変形するおそれがない。
さらに、蓋７０を展開して洗浄槽２１の開口部を閉塞したときは、ロック機構８０によりその平板化を保持すると共に、磁石装着部８３を取付枠４０に係止させてロックするようにしたので、使用中に蓋体７０が開放するおそれがない。なお、蓋体７０を、図６に示すように、シンク部３側を低くその反対側を高くして傾斜して形成してもよい。
【００５３】
実施の形態４
次に、図１２及び図２８、図２９により第２のヒンジ部９５について説明する。９６はダンパーを兼ねたヒンジ軸で、９７は有底四角筒状のダンパーケース、９８はフランジ、９９はフランジ９８から突設されたつまみであり、ダンパーケース９７の側壁には係止爪１００が設けられ、また、底部には溝部１０１が形成されている。
【００５４】
１０２はダンパーで、後部にダンパーケース９７の溝部１０１に嵌入する支持部１０４を有する円筒状のケーシング部１０３と、ケーシング部１０３内に回転可能に収容された円筒部１０６及び円筒部１０６から突設され先端部が小判状に形成された固定部１０７からなる軸部１０５と、ケーシング部１０３内に充填された例えば、高粘度グリスの如きダンパー材１０８、及び蓋１０９からなっている。１１０はほぼ半円筒状の嵌合部１１１及び嵌合部１１１の外壁に設けた係合突起１１２を有するダンパーケース蓋である。
【００５５】
このようなヒンジ軸９６は、ケーシング部１０３内に軸部１０５の円筒部１０６を挿入して空間部にダンパー材１０８を充填し、蓋１０９により開口部を閉塞してダンパー１０２を構成する。そして、このダンパー１０２をダンパーケース９７内に挿入してその支持部１０４を溝部１０１に嵌入して回転不能に保持し、ついで、ダンパーケース９７の開口部にダンパーケース蓋１１０をねじ止めして固定する。
【００５６】
そして、取付枠４０の保持ケース５１の両側に蓋体７０のヒンジ用ブラケット９２を嵌合する。ついで、ヒンジ用ブラケット９２のヒンジ軸取付口９３にダンパーケース９７を挿入し、その軸部１０７を保持ケース５１内の蓋体支持部材５３のダンパー軸受部５４に嵌入すると共に、係止爪１００をダンパー取付口９３の内壁に設けた係止部９４に係止する。これにより、第２のヒンジ部９５が形成され、蓋体７０はヒンジ軸９６を介して取付枠４０に開閉自在に装着される。
なお、このとき、ヒンジ軸９６のダンパーケース蓋１１０に設けた嵌合部１１１は、図１３に示すように、ダンパー軸受部５４の外周に嵌合する。
【００５７】
いま、洗浄槽２１の開口部を開放するため、ハンドル７８を持って展開されている第１、第２の蓋板７１，７２を屈曲して第２のヒンジ部９５を軸に蓋体７０を回動すると、固定部１０７がダンパー軸受部５４に嵌入されたヒンジ軸９６の軸部１０５はその位置に保持され、ダンパーケース９７及びケーシング部１０３が蓋体７０と共に回動する。このとき、ダンパーケース蓋１１０に設けた嵌合部１１１もダンパー軸受部５４の外周に沿って回動し、図１４に示すように、その一端がストッパー５７に当接すると共に、係合突起１１２が係止部５６に係止し、ヒンジ軸９６の回転はその位置で停止し、蓋体７０は図８に示すように屈曲されて壁側に傾いた状態で保持され、洗浄槽２１の開口部が開放される。このとき、蓋体７０は流し台１の背面に位置する壁１２０や上方に設置された壁付け収納棚１２１に接触することなく、かつ、ヒンジ軸９６の嵌合部１１１に設けた係合突起１１２が蓋板支持部材５３の係止部５６に係止しているので、自然降下することはない。
【００５８】
洗浄槽２１の開口部を閉塞するときは、ハンドル７８を持って手前に引けば、嵌合部１１１の係合突起１１２が係止部５６から外れて蓋体７０が展開され、平板化して開口部を閉塞する。このとき、ヒンジ軸９６のダンパー１０２にはダンパー材１０８が充填されているので、ダンパーケース９７が回動する際、ダンパー材１０８の粘性抵抗によりダンパー１０２の回動、したがって蓋体７０の回動が規制され、速度制限効果が得られる。なお、蓋体７０の開閉にあったては、ハンドル７８は常に使用者の視野範囲にあると共に、容易に手が掛けられる位置にあるため、蓋体７０の開閉をスムーズに行うことができる。
【００５９】
ところで、ダンパー１０２は、雰囲気温度が上昇するとダンパー材１０８の粘度が低下し、速度制限効果が損なわれるという問題がある。しかしながら本発明においては、食器等の乾燥時に洗浄槽２１内に吹込まれる温風を、排気管部材５８を経て温風排気口５９から外部に排出するようにしており、さらに、排気管部材５８の両側には蓋体支持部材５３が設けられて遮断されているので、ヒンジ軸９６が温風や蒸気等に直接さらされることがない。このため、食器洗浄機の運転停止直後においてもダンパー１０２の速度制限効果に変化はなく、常時安定した速度で蓋体７０を開閉することができる。
【００６０】
上記の説明では、第２のヒンジ部９５を取付枠４０の取付部４３に設けた蓋体支持部材５３と、蓋体７０のヒンジ用ブラケット９２とによって構成した場合を示したが、カウンタ２に設けた開口部４を洗浄槽２１の開口部より小さく形成し、洗浄槽２１の開口部とのオーバーラップ部に温風取入口４７、排水口４８を設けると共に、蓋体支持部材５３、保持ケース５１などを取付けて第２のヒンジ部９５を構成してもよく、要するに、洗浄槽２１の上方の一部で、かつ壁側に、蓋体７０を開閉する第２のヒンジ部９５を設ければよい。
【００６１】
実施の形態５
次に、本発明における流し台１上の排水について説明する。図３０において、７７ａは蓋体７０のハンドル収容部７７の前面側を切欠いて形成した排水部で、洗浄槽２１の開口部を蓋体７０で閉じたときは、この排水部７７ａが取付枠４０の外周に設けたパッキン４４の排水路４６上に位置するようになっている（図には、説明を容易にするために、蓋体７０が取付枠４０から離れている状態を示してある）。
【００６２】
いま、蓋体７０を閉じた状態において、シンク部３や蓋体７０上で調理等を行うと、蓋体７０上の水及び蓋体７０の周囲から浸入した水がハンドル収容部７７内に流入する。この水は排水部７７ａから排水路４６上に流出し、排水路４６上を流れて最下面である取付部４３に流入する（図１２参照）。そして、排水口４８から排水管６０を経て洗浄槽２１の内壁に沿って貯水部２１ａに流下し、排水される。
【００６３】
本実施の形態においては、蓋体７０上に流入した水を上記のように排水するようにしたので、食器等の洗浄、乾燥が終って蓋体７０を開放しても、洗浄槽２１の開口部から水が垂れて、乾燥後の食器等を濡すことがない。
また、排水管６０は、前述のように柔軟材で構成したので、食器等を洗浄槽２１に出し入れする際に、食器等が排水管６０に当っても損傷することがない。
【００６４】
次に、上記のように構成した実施の形態の、流し台に対する食器洗浄機の組込み手順の一例について説明する。
先ず、流し台１の開口部４が設けられたキャビネット９の扉１０を開放し、支持台１１上に載置した食器洗浄機２０を、支持台１１と共にキャビネット９内に搬入する。このとき、支持台１１にキャスタを設けておくと搬入が容易である。ついで、支持脚２３の高さを調節しながら、図１８、図２５に示すように、洗浄槽２１の取付フランジ２２をシール材３６を介して開口部４のフランジ５の下面に当接させる。
【００６５】
次に、取付部４３に蓋体支持部材５３及び保持ケース５１等が取付けられた取付枠４０をフランジ５上に載置し、取付枠４０からフランジ５に挿通したねじ３７を洗浄槽２１の取付フランジ２２に設けたねじ穴２２ａに螺入し、固定する。そして、支持脚２３の高さを再調整する。このとき、取付枠４０の開口部４２の前面側及び取付部４３は洗浄槽２１の開口部の内側にあり、オーバラップしている。
そして、取付枠４０の上に蓋体７０を載置し、そのヒンジ用ブラケット９２を保持ケース５１の両側に嵌合、ヒンジ軸取付口９３にヒンジ軸９６を左右から挿入し、その固定部１０７を蓋体支持部材５３のダンパ軸受部５４に嵌入して結合し、第２のヒンジ９５を構成する。
【００６６】
ここで、例えば、蓋体７０などに不具合が発生した場合の、補修のための蓋体の取外し方について説明する。
先ず、蓋体７０の両側に挿入されているそれぞれのヒンジ軸９６のつまみ９９をつかんで引張ると、ダンパーケース９７に設けられた係止爪１００がばね作用でたわんで係止部９４から外れる。しかるのち、引出せば左右のヒンジ軸９６がヒンジ用ブラケット９２から抜き出され、蓋体７０と保持ケース５１との係合が解除され、蓋体７０を取付枠４０から取外すことができる。
【００６７】
これにより、蓋体７０や取付枠４０、あるいはヒンジ部９５などの不具合箇所を点検し、修理することができる。なお、再組立は、前述の取外し方の逆の手順で行えばよい。
このように、本発明においては、設置、組立、分解など、施工性に優れた食器洗浄機付き流し台を得ることができる。
【００６８】
最後に給水パイプ２４を給水源に、排水パイプ２５を排水口にそれぞれ接続し、アース線２７を接地して電源プラグ２６に電源を接続すれば、食器洗浄機２０の流し台１への組込みが完了する。なお、上述の手順はその一例を示すもので、適宜変更することができる。
【００６９】
次に、上記のように構成した本発明の作用を説明する。先ず、ハンドル７８を持って蓋体７０を屈曲させながら開放して汚れた食器類を洗浄槽２１内の食器かご内に収納する。勿論、食器かごを洗浄槽２１から取出して食器等を収納したのち、再び洗浄槽２１内に収容してもよい。
【００７０】
食器類の収納が終ったときは、ハンドル７８を持って蓋体７０を展開しながら洗浄槽２１の開口部を閉じ、ロックレバー７９を回動してロックアーム８７により平板化した第１、第２の蓋板７１，７２をロックする。このとき、ロック機構８０の磁石装着部８３が、洗浄槽２１の開口部上にオーバーラップしている取付枠４０の下面に係止し、蓋体７０を開放不能にロックする。また、磁石装着部８３に装着した磁石８３ａがリードスイッチ３５に近接してこれをＯＮし、運転可能であることを制御部へ送信する。
【００７１】
ついで、操作部５０の電源スイッチをＯＮすると、発光素子６５からの赤外線が受光部３２の受光素子３４に受光され、電気信号に変換されて制御部へ送信され、給水弁（図示せず）を開いて給水パイプ２４から洗浄槽２１内へ洗浄水を給水する。貯水部２１ａに所定量の洗浄水が給水されると給水弁が閉じられる。このとき、排水パイプ２５の排水弁（図示せず）は閉じられているので、洗浄槽２１内の洗浄水が排水パイプ２５から流出することはない。
次に、貯水部２１ａに設けたヒータ３０に通電して洗浄水を所望の温度に加熱する。そして、送水ポンプ（図示せず）を駆動して温水化した洗浄水を給水管２８に圧送し、噴射ノズル２９から洗浄水を噴射して食器かご内の食器等を洗浄する。
洗浄槽２１内に噴射された洗浄水は落下して貯水槽２１ａに集まり、再び噴射ノズル２９から噴射してこの循環を繰返えす。
【００７２】
所定の時間が経過すると、ヒータ３０及び送水ポンプへの通電が停止し、ついで排水弁が開放されて洗浄槽２１内の汚水は排水パイプ２５から外部へ排出される。
すべての排水が終ったときは排水弁を閉じて給水弁を開放し、洗浄水を洗浄槽２１内に供給する。以後は上述した洗浄工程と同様の作用により食器かご内の食器等のすすぎ洗いが行われ、所定時間のすすぎ洗いが終ると再び排水が行われる。このすすぎ洗いと排水は数回繰返される。
【００７３】
所定回数のすすぎ洗いと排水が終了すると、給水パイプ２４の給水弁及び排水パイプ２５の排水弁を閉じた状態でヒータ３０及び送風機（図示せず）に通電し、送風機を駆動して空気取入口（図示せず）から洗浄槽２１内に空気を送り込む。この空気はヒータ３０で加熱されて温風となり、食器等及び洗浄槽２１全域の乾燥工程に入る。所定時間経過するとヒータ３０及び送風機への通電が停止され、乾燥工程を終了する。これにより、食器等の洗浄・乾燥工程のすべてが終了する。
【００７４】
一方、食器等及び洗浄槽２１全域を乾燥した温風は、取付枠４０の取付部４３に設けた温風取入口４７、排気管部材５８を経て、保持ケース５１の背面側に設けた温風排出口５９から外部に排出される。このため、温風に含まれた湿気が本体に付着したり操作部に浸入したりせず、本体表面を汚したり故障などの不具合が発生せず、また、流し台１の前面側に位置する使用者が不快感を感じることがない。
また、温風を排気する排気管部材５８は、保持ケース５１の背面側に開口し、かつ操作部６１の下方に設けられているため、温風や蒸気が直接操作部６１に触れることがないので、操作部５０に設けられた比較的熱に弱い電気部品を保護することができる。
【００７５】
食器等が冷えたときは、ロックレバー７９を回動して蓋体７０のロックを解除し、ハンドル７８を持って蓋体７０を屈曲させながら洗浄槽２１の開口部を開放し、食器かご又は食器かご内の食器等を取り出す。
上記の説明では食器等を洗浄、乾燥する場合について述べたが、例えば、換気扇やガス器具等を機器洗浄かご内に収容し、洗浄時間等を適宜設定することにより、同様にして洗浄、すすぎ、乾燥を行うことができる。
【００７６】
実施の形態６
上記の各実施の形態においては、図１、図２に示すように、流し台１の後部上方に据付け収納棚１２１が設けられている場合について説明した。すなわち、蓋体７０をほぼ中央部から屈曲させて開放するように構成し、開放した蓋体７０を、壁付け収納棚１２１と流し台１との間に形成された空間内に納まるように構成した。
本実施の形態は、流し台１の後部上方に壁付け収納棚１２１が設置されていない場合の蓋体に関するもので、図３１、図３２に示すように、蓋体７０を中央部で屈曲しない１枚の板状に構成し、開放したときは、斜め上方又は直立した状態で保持されるようにしたものである。
上記のように構成した蓋体７０は、構造が簡単で部品数を減らすことができ、その上開閉が容易であり、ロック手段も簡単になる。
【００７７】
実施の形態７
実施の形態２（図１８）においては、取付枠４０の取付部４３に設けた温風取入口４７と、保持ケース５１の背面下方に設けた温風排気口５９とを排気管部材６０で連結し、食器類及び洗浄槽２１全域を乾燥した温風を温風排出口５９から外部に排出する例を示した。
本実施の形態においては、保持ケース５１に設けた温風排出口５９を、図３３に示すように、カウンタ２に設けた立上り壁２ｄと対向する位置に開口し、取付枠４０に設けた温風取入口４７とこの温風排出口５９とを排気管部材５８で連結し、温風をこの立上り壁２ｄに一たん衝突させたのち、立上り壁２ｄに沿って上方に向って排気させるようにしたものである。
このように構成したことにより、使用者に不快感を与えない、電気部品を加熱しない等の効果を一層高めることができる。
【００７８】
【発明の効果】
本発明に係る食器洗浄機付き流し台は、シンク部と、該シンク部の一方の側に設けた開口部に取付けた食器洗浄機とを有する流し台において、前記開口部の下方に設置された洗浄槽と、後部側に取付部を残して前後方向の長さが前記開口部の前後方向の長さより短かい開口部を有し、前記洗浄槽を流し台に固定する取付枠と、該取付枠上に載置されて前記洗浄槽の開口部を開閉する蓋体と、前記取付枠の取付部に取付けられた前記食器洗浄機を操作する操作部とを備えたので、食器類の出し入れの際操作部に水や汚れが付くことがなく、水の浸入による故障を生じることがない。
【００７９】
上記の食器洗浄機付き流し台の取付枠に設けた保持部内に排気路を設け、この排気路の吸気側を洗浄槽に開口すると共に、排気側を流し台の水はね防止用の立上り壁に対向して開口し、乾燥工程における温風を立上り壁に衝突して屈曲させて上方に排気するようにしたので、流し台の前面に位置する使用者が不快感を感じることがない。また、温風に含まれた湿気が本体に付着して表面を汚したり、操作部に浸入して故障を生ずることもない。
【００８０】
上記の食器洗浄機付き流し台の取付枠に形成された取付部に固定した蓋体支持部材を覆って操作部を構成する保持ケースを取付け、前記蓋体支持部材に前記蓋体の一端を装着するヒンジ部を設けたので、操作部の操作が容易で、しかも蓋体を開閉しても常に操作パネルを視認できるため誤操作のおそれがなく、使い勝手のよい厨房を得ることができる。また、操作部に水分がかかりにくいので、水分の浸入による故障を生ずることもない。
【００８６】
上記のいずれかの食器洗浄機付き流し台の上面側において洗浄槽の外部に発光部を設けると共に、流し台のキャビネット内に受光部を設け、受光部を制御部に接続したので、操作部から受信部（受光部）への送信を、リード線などの接続材料を使用せずに行えるため、組立性が著しく改善されると共に、食器洗浄機の稼働中に、人その他の障害物によって光が遮断されるおそれがなく、光信号を確実に伝達することができる。
また、上記の発光部からの光を洗浄槽を透過して受光部で受光させるようにしたので、上記と同様の効果が得られる。
【図面の簡単な説明】
【図１】本発明の実施の形態１を説明するための全体構成を示す斜視図である。
【図２】図１の食器洗浄機の蓋体を開放した状態を示す斜視図である。
【図３】図１の流し台に水切りプレートを載置した状態を示す斜視図である。
【図４】図１の流し台の本体の平面図である。
【図５】図１の流し台の要部の平面図である。
【図６】図１のＡ−Ａ断面図である。
【図７】図６の洗浄槽の縦断面図である。
【図８】図１のＢ−Ｂ断面図である。
【図９】図１の流し台のカウンタの説明図である。
【図１０】図３の水切りプレートの他の例の斜視図である。
【図１１】図１０の断面図である。
【図１２】本発明の実施の形態２を説明するための一部を断面で示した食器洗浄機部分の要部の平面図である。
【図１３】図１２の取付枠の説明図である。
【図１４】取付枠の下面図である。
【図１５】図１０の保持ケースの斜視図である。
【図１６】図１２のＣ−Ｃ断面図である。
【図１７】図１６の作用説明図である。
【図１８】図１２のＤ−Ｄ断面図である。
【図１９】図１２のＥ−Ｅ断面図である。
【図２０】図１８の他の例の縦断面図である。
【図２１】本発明の実施の形態３を説明するための流し台の平面図である。
【図２２】図２１の蓋体の斜視図である。
【図２３】図２１の蓋体の下面図である。
【図２４】図２１の蓋体のＦ−Ｆ断面図及びその一部拡大図である。
【図２５】図２１のＧ−Ｇ断面図である。
【図２６】図２５のロック機構の下面図である。
【図２７】図２１のハンドルの他の例を示す斜視図である。
【図２８】本発明の実施の形態４の要部の斜視図である。
【図２９】図２８の分解斜視図である。
【図３０】本発明の実施の形態５の要部の斜視図である。
【図３１】本発明の実施の形態６の斜視図である。
【図３２】図３１の蓋体を開いた状態を示す斜視図である。
【図３３】本発明の実施の形態７の要部の断面図である。
【符号の説明】
１  流し台、２  カウンタ、３  シンク部、４  開口部、５  フランジ、１１支持台、１２  水切りプレート、２０  食器洗浄機、２１  洗浄槽、３２  受光部、３４  受光素子、４０  取付枠、４２  開口部、４３  取付部、４４  パッキン、４５  リップ、４６  排水路、４７  温風取入口、４８  排水口、５０操作部、５１  保持ケース、５３  蓋体支持部材、５４  ダンパ軸受部、５８排気管部材、５９  温風排気口、６０  排水管、６１  操作器、６５  発光素子、７０  蓋体、７１  第１の蓋板、７２  第２の蓋板、７３  上板、７４  下板、７７  ハンドル収容部、７８  ハンドル、７９  ロックレバー、８０  ロック機構、９０  第１のヒンジ部、９５  第２のヒンジ部、９６  ヒンジ軸、１２０  壁、１２１  壁付け収納棚。
【図１】
0003548849.tif 000002
【図２】
0003548849.tif 000003
【図３】
0003548849.tif 000004
【図４】
0003548849.tif 000005
【図５】
0003548849.tif 000006
【図６】
0003548849.tif 000007
【図７】
0003548849.tif 000008
【図８】
0003548849.tif 000009
【図９】
0003548849.tif 000010
【図１０】
0003548849.tif 000011
【図１１】
0003548849.tif 000012
【図１２】
0003548849.tif 000013
【図１３】
0003548849.tif 000014
【図１４】
0003548849.tif 000015
【図１５】
0003548849.tif 000016
【図１６】
0003548849.tif 000017
【図１７】
0003548849.tif 000018
【図１８】
0003548849.tif 000019
【図１９】
0003548849.tif 000020
【図２０】
0003548849.tif 000021
【図２１】
0003548849.tif 000022
【図２２】
0003548849.tif 000023
【図２３】
0003548849.tif 000024
【図２４】
0003548849.tif 000025
【図２５】
0003548849.tif 000026
【図２６】
0003548849.tif 000027
【図２７】
0003548849.tif 000028
【図２８】
0003548849.tif 000029
【図２９】
0003548849.tif 000030
【図３０】
0003548849.tif 000031
【図３１】
0003548849.tif 000032
【図３２】
0003548849.tif 000033
【図３３】
0003548849.tif 000034